(57)【要約】【課題】音声データの再生に関する制御をリアルタイムで効率的かつ簡易に行うことができる放送システムを提供すること。【解決手段】放送装置１１０が、音声データを生成する音声データ生成手段１１１と、音声データの再生に関する制御を行うための制御情報を生成する制御情報生成手段１１２と、音声データと制御情報とを結合して音声制御データを生成する音声制御データ生成手段１１３と、音声制御データを放送受信装置１２０に送信する音声制御データ送信手段１１４とを有し、放送受信装置１２０が、音声制御データを受信する音声制御データ受信手段１２１と、音声制御データから制御情報と音声データとを抽出する音声制御データ抽出手段１２２と、制御情報に基づいて音声データの再生に関する制御を行う制御手段１２３と、音声データを再生する音声再生手段１２４と、音声データに応じて音声を出力する音声出力手段１２５とを有して構成する。【選択図】　図１
2004128855.tif 000002
【特許請求の範囲】
【請求項１】
所定の音声コンテンツをネットワーク経由で放送する放送装置と、前記放送装置によって送信された前記音声コンテンツを前記ネットワーク経由で受信して再生する放送受信装置とを備え、前記放送装置が、前記音声コンテンツを所定の情報量のデータに分割して音声データを生成する音声データ生成手段と、前記音声データの再生に関する制御を行うための制御情報を生成する制御情報生成手段と、前記音声データと前記制御情報とを結合して音声制御データを生成する音声制御データ生成手段と、前記音声制御データを前記ネットワーク経由で前記放送受信装置に送信する音声制御データ送信手段とを有し、前記放送受信装置が、前記放送装置から前記音声制御データを前記ネットワーク経由で受信する音声制御データ受信手段と、受信された前記音声制御データから前記制御情報と前記音声データとを抽出する音声制御データ抽出手段と、前記音声制御データから抽出された前記制御情報に基づいて前記音声データの再生に関する制御を行う制御手段と、前記音声制御データから抽出された前記音声データを再生する音声再生手段とを有することを特徴とする放送システム。
【請求項２】
前記制御情報が、前記音声再生手段のうちの前記音声データを再生させる音声再生手段を指定する選択情報を含み、前記制御手段が、前記音声制御データから抽出された前記制御情報に指定された音声再生手段に前記音声データを再生するように制御することを特徴とする請求項１に記載の放送システム。
【請求項３】
前記音声再生手段を複数備え、前記音声再生手段を所定数のエリアに対応させて区分し、前記制御情報が、前記放送受信装置内のエリアを示すエリア情報を含み、前記制御手段が、前記音声制御データから抽出された前記制御情報に示された前記エリアに対応した前記各音声再生手段に前記音声データを再生するように制御することを特徴とする請求項１に記載の放送システム。
【請求項４】
先行する音声コンテンツの放送後に放送される後続の音声コンテンツを、前記先行する音声コンテンツの放送中にネットワーク経由で放送することができる放送装置と、前記放送装置によって放送された音声コンテンツを前記ネットワーク経由で受信して再生し、前記後続の音声コンテンツが有るときには、前記先行する音声コンテンツの再生が終了した後に前記後続の音声コンテンツを再生する放送受信装置とを備え、前記放送装置が、放送される音声コンテンツが前記後続の音声コンテンツであることを示す属性情報を生成する属性情報生成手段と、前記属性情報と前記後続の音声データとを結合して音声放送後続データを生成する音声制御データ生成手段と、前記ネットワーク経由で前記先行する音声コンテンツを前記放送受信装置に送信し、前記後続の音声コンテンツが有るときには、前記先行する音声コンテンツの放送中に前記音声放送後続データを前記放送受信装置に送信する音声制御データ送信手段とを有し、前記放送受信装置が、前記放送装置から前記先行する音声コンテンツに加えて前記音声放送後続データを前記ネットワーク経由で受信する音声制御データ受信手段と、受信された前記音声放送後続データから前記属性情報と前記後続の音声データとを抽出する音声制御データ抽出手段と、受信された前記先行する音声コンテンツに基づいて音声コンテンツの再生が終了したことを検出する再生終了検出手段と、前記再生終了検出手段が音声コンテンツの再生が終了したことを検出するまで、抽出された前記後続の音声データを記憶する音声データ記憶手段と、前記再生終了検出手段が音声コンテンツの再生が終了したことを検出したときには、記憶された前記後続の音声データを読み出す音声データ読出手段と、読み出された前記後続の音声データと前記先行する音声コンテンツとの何れかに応じて音声を再生する音声再生手段とを有することを特徴とする放送システム。
【請求項５】
先行する音声コンテンツの放送中または放送後に放送される後続の音声コンテンツを、前記先行する音声コンテンツの放送中にネットワーク経由で放送することができる放送装置と、前記放送装置によって放送された音声コンテンツを前記ネットワーク経由で受信して再生し、前記先行する音声コンテンツよりも優先順位の高い前記後続の音声コンテンツが放送されたときは、前記先行する音声コンテンツの再生を中断して前記後続の音声コンテンツを再生する放送受信装置とを備え、前記放送装置が、放送される音声コンテンツの優先順位を示す優先順位情報を生成する優先情報生成手段と、前記優先順位情報と前記先行する音声データとを結合して先行の音声放送優先順位データを生成し、さらに前記優先順位情報と前記後続の音声データとを結合して後続の音声放送優先順位データを生成する音声制御データ生成手段と、前記ネットワーク経由で前記先行の音声放送優先順位データを前記放送受信装置に送信し、前記後続の音声コンテンツが有るときには、前記先行する音声コンテンツの放送中に前記後続の音声放送優先順位データを前記放送受信装置に送信する音声制御データ送信手段とを有し、前記放送受信装置が、前記放送装置から前記先行の音声放送優先順位データに加えて前記後続の音声放送優先順位データを前記ネットワーク経由で受信する音声制御データ受信手段と、受信された前記先行の音声放送優先順位データから前記優先順位情報と前記先行する音声データとを抽出し、さらに受信された前記後続の音声放送優先順位データから前記優先順位情報と前記後続の音声データとを抽出する音声制御データ抽出手段と、前記後続の音声放送優先順位データから抽出された後続の優先順位と、前記先行の音声放送優先順位データから抽出された先行の優先順位とを比較する優先順位比較手段と、前記後続の優先順位が前記先行の優先順位よりも高い場合には、前記先行する音声データを記憶し、前記後続の優先順位が前記先行の優先順位よりも低い場合には、前記後続の音声データを記憶する音声データ記憶手段と、抽出された音声データに基づいて音声コンテンツの再生が終了したことを検出する再生終了検出手段と、前記再生終了検出手段が音声コンテンツの再生が終了したことを検出するまで、抽出された前記音声データに応じて音声を再生する音声再生手段と、前記再生終了検出手段が音声コンテンツの再生が終了したことを検出した場合には、記憶された音声データを読み出す音声データ読出手段と、読み出された前記後続の音声データと前記先行する音声コンテンツとの何れかに応じて音声を再生する音声再生手段とを有することを特徴とする放送システム。
【請求項６】
前記放送装置が、文字を示す文字情報を生成する文字情報生成手段と、前記文字情報と前記音声制御データとを結合して文字音声制御データを生成する文字音声制御データ生成手段とを有し、前記音声制御データ送信手段が、前記文字音声データを前記放送受信装置に前記ネットワーク経由で送信し、前記放送受信装置が、前記音声制御データ受信手段が受信した前記文字音声制御データから前記文字情報と前記音声制御データとを抽出する手段と、抽出された前記文字情報に応じて前記文字を視覚的に表示する表示手段とを有し、前記制御手段が、前記音声制御データ抽出手段によって前記音声制御データから抽出された前記制御情報に基づいて前記音声データの再生に関する制御を行い、前記音声再生手段が、前記音声制御データ抽出手段によって前記音声制御データから抽出された前記音声データに応じて音声を出力し、前記表示手段が、前記音声の出力に連動して前記文字を視覚的に表示することを特徴とする請求項１に記載の放送システム。
【請求項７】
前記放送装置が、暗号化された暗号情報を生成する暗号情報生成手段と、前記暗号情報と前記音声制御データとを結合して暗号音声制御データを生成する手段とを有し、前記音声制御データ送信手段が、前記暗号音声制御データを前記放送受信装置に前記ネットワーク経由で送信し、前記放送受信装置が、前記音声制御データ受信手段が受信した前記暗号音声制御データに含まれる前記暗号情報を解読して前記音声制御データを抽出する暗号解読手段を有し、前記制御手段が、前記音声制御データ抽出手段によって前記音声制御データから抽出された前記制御情報に基づいて前記音声データの再生に関する制御を行い、前記音声再生手段が、前記音声制御データ抽出手段によって前記音声制御データから抽出された前記音声データに応じて音声を再生することを特徴とする請求項１に記載の放送システム。
【請求項８】
前記放送装置の音声制御データ生成手段が、一定時間間隔で前記音声制御データを生成し、前記放送装置の音声制御データ送信手段が、前記音声データに加えて前記一定時間間隔で前記音声制御データを前記ネットワーク経由で前記放送受信装置に送信し、前記放送受信装置の音声制御データ受信手段が、前記放送装置から前記音声データと前記音声制御データの何れかを前記ネットワーク経由で受信し、前記放送受信装置の前記音声制御データ抽出手段が、受信された前記音声制御データから前記制御情報と前記音声データとを抽出し、前記放送受信装置の前記制御手段が、抽出された前記制御情報に基づいて一定時間の間、音声データの再生に関する制御を行い、前記放送受信装置の前記音声再生手段が、抽出された前記音声データと前記音声制御データ受信手段が受信した前記音声データの何れかに応じて音声を再生することを特徴とする請求項１に記載の放送システム。
【請求項９】
所定の音声コンテンツをネットワーク経由で放送受信装置に放送する放送装置であって、前記音声コンテンツを所定の情報量のデータに分割して音声データを生成する音声データ生成手段と、前記音声データの再生に関する制御を行うための制御情報を生成する制御情報生成手段と、前記音声データと前記制御情報とを結合して音声制御データを生成する音声制御データ生成手段と、前記音声制御データを前記ネットワーク経由で前記放送受信装置に送信する音声制御データ送信手段とを備えたことを特徴とする放送装置。
【請求項１０】
前記制御情報が、前記放送受信装置が有する音声再生手段のうちの前記音声データを再生させる音声再生手段を指定する選択情報を含むことを特徴とする請求項９に記載の放送装置。
【請求項１１】
前記放送受信装置が有する音声再生手段を所定数のエリアに対応させて区分し、前記制御情報が、前記放送受信装置内のエリアを示すエリア情報を含むことを特徴とする請求項９に記載の放送装置。
【請求項１２】
先行する音声コンテンツの放送後に放送される後続の音声コンテンツを、前記先行する音声コンテンツの放送中にネットワーク経由で放送受信装置に放送することができる放送装置であって、放送される音声コンテンツが前記後続の音声コンテンツであることを示す属性情報を生成する属性情報生成手段と、前記属性情報と前記後続の音声データとを結合して音声放送後続データを生成する音声制御データ生成手段と、前記ネットワーク経由で前記先行する音声コンテンツを前記放送受信装置に送信し、前記後続の音声コンテンツが有るときには、前記先行する音声コンテンツの放送中に前記音声放送後続データを前記放送受信装置に送信する音声制御データ送信手段とを備えたことを特徴とする放送装置。
【請求項１３】
先行する音声コンテンツの放送中または放送後に放送される後続の音声コンテンツを、前記先行する音声コンテンツの放送中にネットワーク経由で放送受信装置に放送することができる放送装置であって、放送される音声コンテンツの優先順位を示す優先順位情報を生成する優先情報生成手段と、前記優先順位情報と前記先行する音声データとを結合して先行の音声放送優先順位データを生成し、さらに前記優先順位情報と前記後続の音声データとを結合して後続の音声放送優先順位データを生成する音声制御データ生成手段と、前記ネットワーク経由で前記先行の音声放送優先順位データを前記放送受信装置に送信し、前記後続の音声コンテンツが有るときには、前記先行する音声コンテンツの放送中に前記後続の音声放送優先順位データを前記放送受信装置に送信する音声制御データ送信手段とを備えたことを特徴とする放送装置。
【請求項１４】
前記放送装置は、文字を示す文字情報を生成する文字情報生成手段と、前記文字情報と前記音声制御データとを結合して文字音声制御データを生成する文字音声制御データ生成手段とを備え、前記音声制御データ送信手段は、前記文字音声データを前記放送受信装置に前記ネットワーク経由で送信することを特徴とする請求項９に記載の放送装置。
【請求項１５】
前記放送装置は、暗号化された暗号情報を生成する暗号情報生成手段と、前記暗号情報と前記音声制御データとを結合して暗号音声制御データを生成する手段とを備え、前記音声制御データ送信手段は、前記暗号音声制御データを前記放送受信装置に前記ネットワーク経由で送信することを特徴とする請求項９に記載の放送装置。
【請求項１６】
前記音声制御データ生成手段が、一定時間間隔で前記音声制御データを生成し、前記音声制御データ送信手段が、前記音声データに加えて前記一定時間間隔で前記音声制御データを前記ネットワーク経由で前記放送受信装置に送信することを特徴とする請求項９に記載の放送装置。
【請求項１７】
所定の音声コンテンツをネットワーク経由で放送する放送装置によって送信された前記音声コンテンツを前記ネットワーク経由で受信して再生する放送受信装置であって、前記放送装置から音声制御データを前記ネットワーク経由で受信する音声制御データ受信手段と、受信された前記音声制御データから制御情報と音声データとを抽出する音声制御データ抽出手段と、前記音声制御データから抽出された前記制御情報に基づいて前記音声データの再生に関する制御を行う制御手段と、前記音声制御データから抽出された前記音声データを再生する音声再生手段とを備えたことを特徴とする放送受信装置。
【請求項１８】
前記制御情報が、前記音声再生手段のうちの前記音声データを再生させる音声再生手段を指定する選択情報を含み、前記制御手段が、前記音声制御データから抽出された前記制御情報に指定された音声再生手段に前記音声データを再生するように制御することを特徴とする請求項１７に記載の放送受信装置。
【請求項１９】
前記音声再生手段を複数備え、前記音声再生手段を所定数のエリアに対応させて区分し、前記制御情報が、前記放送受信装置内のエリアを示すエリア情報を含み、前記制御手段が、前記音声制御データから抽出された前記制御情報に示された前記エリアに対応した前記各音声再生手段に前記音声データを再生するように制御することを特徴とする請求項１７に記載の放送受信装置。
【請求項２０】
先行する音声コンテンツの放送後に放送される後続の音声コンテンツを、前記先行する音声コンテンツの放送中にネットワーク経由で放送することができる放送装置によって放送された音声コンテンツを前記ネットワーク経由で受信して再生し、前記後続の音声コンテンツが有るときには、前記先行する音声コンテンツの再生が終了した後に前記後続の音声コンテンツを再生する放送受信装置であって、前記放送装置から前記先行する音声コンテンツに加えて音声放送後続データを前記ネットワーク経由で受信する音声制御データ受信手段と、受信された前記音声放送後続データから属性情報と後続の音声データとを抽出する音声制御データ抽出手段と、受信された前記先行する音声コンテンツに基づいて音声コンテンツの再生が終了したことを検出する再生終了検出手段と、前記再生終了検出手段が音声コンテンツの再生が終了したことを検出するまで、抽出された前記後続の音声データを記憶する音声データ記憶手段と、前記再生終了検出手段が音声コンテンツの再生が終了したことを検出したときには、記憶された前記後続の音声データを読み出す音声データ読出手段と、読み出された前記後続の音声データと前記先行する音声コンテンツとの何れかに応じて音声を再生する音声再生手段とを備えたを特徴とする放送受信装置。
【請求項２１】
先行する音声コンテンツの放送中または放送後に放送される後続の音声コンテンツを、前記先行する音声コンテンツの放送中にネットワーク経由で放送することができる放送装置によって放送された音声コンテンツを前記ネットワーク経由で受信して再生し、前記先行する音声コンテンツよりも優先順位の高い前記後続の音声コンテンツが放送されたときは、前記先行する音声コンテンツの再生を中断して前記後続の音声コンテンツを再生する放送受信装置とを備え、前記放送装置から先行の音声放送優先順位データに加えて後続の音声放送優先順位データを前記ネットワーク経由で受信する音声制御データ受信手段と、受信された前記先行の音声放送優先順位データから優先順位情報と先行する音声データとを抽出し、さらに受信された前記後続の音声放送優先順位データから優先順位情報と後続の音声データとを抽出する音声制御データ抽出手段と、前記後続の音声放送優先順位データから抽出された後続の優先順位と、前記先行の音声放送優先順位データから抽出された先行の優先順位とを比較する優先順位比較手段と、前記後続の優先順位が前記先行の優先順位よりも高い場合には、前記先行する音声データを記憶し、前記後続の優先順位が前記先行の優先順位よりも低い場合には、前記後続の音声データを記憶する音声データ記憶手段と、抽出された音声データに基づいて音声コンテンツの再生が終了したことを検出する再生終了検出手段と、前記再生終了検出手段が音声コンテンツの再生が終了したことを検出するまで、抽出された前記音声データに応じて音声を再生する音声再生手段と、前記再生終了検出手段が音声コンテンツの再生が終了したことを検出した場合には、記憶された音声データを読み出す音声データ読出手段と、読み出された前記後続の音声データと前記先行する音声コンテンツとの何れかに応じて音声を再生する音声再生手段とを備えたを特徴とする放送受信装置。
【請求項２２】
前記音声制御データ受信手段が受信した文字音声制御データから文字情報と前記音声制御データとを抽出する手段と、抽出された文字情報に応じて文字を視覚的に表示する表示手段とを備え、前記制御手段が、前記音声制御データ抽出手段によって前記音声制御データから抽出された前記制御情報に基づいて前記音声データの再生に関する制御を行い、前記音声再生手段が、前記音声制御データ抽出手段によって前記音声制御データから抽出された前記音声データに応じて音声を出力し、前記表示手段が、前記音声の出力に連動して前記文字を視覚的に表示することを特徴とする請求項１７に記載の放送システム。
【請求項２３】
前記音声制御データ受信手段が受信した暗号音声制御データに含まれる暗号情報を解読して音声制御データを抽出する暗号解読手段を備え、前記制御手段が、前記音声制御データ抽出手段によって前記音声制御データから抽出された前記制御情報に基づいて前記音声データの再生に関する制御を行い、前記音声再生手段が、前記音声制御データ抽出手段によって前記音声制御データから抽出された前記音声データに応じて音声を再生することを特徴とする請求項１７に記載の放送受信装置。
【請求項２４】
前記音声制御データ受信手段が、前記放送装置から前記音声データと前記音声制御データの何れかを前記ネットワーク経由で受信し、前記音声制御データ抽出手段が、受信された前記音声制御データから前記制御情報と前記音声データとを抽出し、前記制御手段が、抽出された前記制御情報に基づいて一定時間の間、音声データの再生に関する制御を行い、前記音声再生手段が、抽出された前記音声データと前記音声制御データ受信手段が受信した前記音声データの何れかに応じて音声を再生することを特徴とする請求項１７に記載の放送受信装置。
【発明の詳細な説明】
【０００１】
【発明の属する技術分野】
本発明は、音声や背景音楽などの音声コンテンツを所定の場所にネットワーク経由で放送する構内放送等を行う放送システム、放送装置、および放送受信装置に関する。
【０００２】
【従来の技術】
従来の放送システムとしては、放送装置が所定の音声コンテンツを所定の情報量のデータに分割した音声データをリアルタイムで送信し、放送受信装置が放送装置によって送信された音声データをネットワーク経由で受信して再生するものが知られている（例えば、特許文献１参照。）。図８に示すように従来の放送システムにおいては、音声データの再生に関する制御を行うとき、放送装置が音声データｄ１と制御データｄ２とを別個にネットワーク経由で放送受信装置に送信し、放送受信装置が制御データｄ２に基づいて音声データｄ１の再生に関する制御を行っていた。
【０００３】
【特許文献１】
特開２００１−１５６８４７号公報（２９段落目〜３２段落目、図１）
【０００４】
【発明が解決しようとする課題】
しかしながら、前述した従来の放送システムにおいては、放送受信装置が音声データと制御データとを別個に受信するため、放送受信装置が音声データを一旦蓄積し、制御データに基づいて蓄積された音声データの再生に関する制御を行い、さらに放送装置が制御データを送信するタイミングを図る等、煩雑な制御をしなければならないという問題があった。
本発明は、このような従来の問題を解決するためになされたもので、音声データの再生に関する制御をリアルタイムで効率的かつ簡易に行うことができる放送システム、放送装置、および放送受信装置を提供するものである。
【０００５】
【課題を解決するための手段】
本発明の放送システムは、所定の音声コンテンツをネットワーク経由で放送する放送装置と、前記放送装置によって送信された前記音声コンテンツを前記ネットワーク経由で受信して再生する放送受信装置とを備え、前記放送装置が、前記音声コンテンツを所定の情報量のデータに分割して音声データを生成する音声データ生成手段と、前記音声データの再生に関する制御を行うための制御情報を生成する制御情報生成手段と、前記音声データと前記制御情報とを結合して音声制御データを生成する音声制御データ生成手段と、前記音声制御データを前記ネットワーク経由で前記放送受信装置に送信する音声制御データ送信手段とを有し、前記放送受信装置が、前記放送装置から前記音声制御データを前記ネットワーク経由で受信する音声制御データ受信手段と、受信された前記音声制御データから前記制御情報と前記音声データとを抽出する音声制御データ抽出手段と、前記音声制御データから抽出された前記制御情報に基づいて前記音声データの再生に関する制御を行う制御手段と、前記音声制御データから抽出された前記音声データを再生する音声再生手段とを備えた構成を有している。
この構成により、音声データと制御情報とを結合した音声制御データで通信するため、音声データの再生に関する制御をリアルタイムで効率的かつ簡易に行うことができる。
【０００６】
また、本発明の放送システムは、所定の音声コンテンツをネットワーク経由で放送する放送装置と、前記放送装置によって送信された前記音声コンテンツを前記ネットワーク経由で受信して再生する放送受信装置とを備え、前記放送装置が、前記音声コンテンツを所定の情報量のデータに分割して音声データを生成する音声データ生成手段と、前記音声データの再生に関する制御を行うための制御情報を生成する制御情報生成手段と、前記音声データと前記制御情報とを結合して音声制御データを生成する音声制御データ生成手段と、前記音声制御データを前記ネットワーク経由で前記放送受信装置に送信する音声制御データ送信手段とを有し、前記放送受信装置が、前記放送装置から前記音声制御データを前記ネットワーク経由で受信する音声制御データ受信手段と、受信された前記音声制御データから前記制御情報と前記音声データとを抽出する音声制御データ抽出手段と、前記音声制御データから抽出された前記制御情報に基づいて前記音声データの再生に関する制御を行う制御手段と、前記音声制御データから抽出された前記音声データを再生する音声再生手段と、さらに前記制御情報が、前記音声再生手段のうちの前記音声データを再生させる音声再生手段を指定する選択情報を含み、前記制御手段が、前記音声制御データから抽出された前記制御情報に指定された音声再生手段に前記音声データを再生するように制御することを備えた構成を有している。
この構成により、音声データを再生させる音声再生手段を指定する選択情報と音声データとを結合した音声制御データで通信するため、指定された音声再生手段に音声をリアルタイムで再生することができる。
【０００７】
また、本発明の放送システムは、所定の音声コンテンツをネットワーク経由で放送する放送装置と、前記放送装置によって送信された前記音声コンテンツを前記ネットワーク経由で受信して再生する放送受信装置とを備え、前記放送装置が、前記音声コンテンツを所定の情報量のデータに分割して音声データを生成する音声データ生成手段と、前記音声データの再生に関する制御を行うための制御情報を生成する制御情報生成手段と、前記音声データと前記制御情報とを結合して音声制御データを生成する音声制御データ生成手段と、前記音声制御データを前記ネットワーク経由で前記放送受信装置に送信する音声制御データ送信手段とを有し、前記放送受信装置が、前記放送装置から前記音声制御データを前記ネットワーク経由で受信する音声制御データ受信手段と、受信された前記音声制御データから前記制御情報と前記音声データとを抽出する音声制御データ抽出手段と、前記音声制御データから抽出された前記制御情報に基づいて前記音声データの再生に関する制御を行う制御手段と、前記音声制御データから抽出された前記音声データを再生する音声再生手段と、さらに前記音声再生手段を複数備え、前記音声再生手段を所定数のエリアに対応させて区分し、前記制御情報が、前記放送受信装置内のエリアを示すエリア情報を含み、前記制御手段が、前記音声制御データから抽出された前記制御情報に示された前記エリアに対応した前記各音声再生手段に前記音声データを再生するように制御することを備えた構成を有している。
この構成により、放送受信装置内のエリアを示すエリア情報と音声データとを結合した音声制御データで通信するため、エリア情報に示されたエリアに音声コンテンツをリアルタイムで再生することができ、各エリアに同一の放送ができる。
【０００８】
また、本発明の放送システムは、先行する音声コンテンツの放送後に放送される後続の音声コンテンツを、前記先行する音声コンテンツの放送中にネットワーク経由で放送することができる放送装置と、前記放送装置によって放送された音声コンテンツを前記ネットワーク経由で受信して再生し、前記後続の音声コンテンツが有るときには、前記先行する音声コンテンツの再生が終了した後に前記後続の音声コンテンツを再生する放送受信装置とを備え、前記放送装置が、放送される音声コンテンツが前記後続の音声コンテンツであることを示す属性情報を生成する属性情報生成手段と、前記属性情報と前記後続の音声データとを結合して音声放送後続データを生成する音声制御データ生成手段と、前記ネットワーク経由で前記先行する音声コンテンツを前記放送受信装置に送信し、前記後続の音声コンテンツが有るときには、前記先行する音声コンテンツの放送中に前記音声放送後続データを前記放送受信装置に送信する音声制御データ送信手段とを有し、前記放送受信装置が、前記放送装置から前記先行する音声コンテンツに加えて前記音声放送後続データを前記ネットワーク経由で受信する音声制御データ受信手段と、受信された前記音声放送後続データから前記属性情報と前記後続の音声データとを抽出する音声制御データ抽出手段と、受信された前記先行する音声コンテンツに基づいて音声コンテンツの再生が終了したことを検出する再生終了検出手段と、前記再生終了検出手段が音声コンテンツの再生が終了したことを検出するまで、抽出された前記後続の音声データを記憶する音声データ記憶手段と、前記再生終了検出手段が音声コンテンツの再生が終了したことを検出したときには、記憶された前記後続の音声データを読み出す音声データ読出手段と、読み出された前記後続の音声データと前記先行する音声コンテンツとの何れかに応じて音声を再生する音声再生手段とを備えた構成を有している。
この構成により、後続の音声コンテンツであることを示す属性情報と後続の音声データとを結合して音声放送後続データで通信するため、先行する音声コンテンツの放送中に後続の音声コンテンツを放送しても、先行する音声コンテンツが終了した後に後続の音声コンテンツを再生することができる。
【０００９】
また、本発明の放送システムは、先行する音声コンテンツの放送中または放送後に放送される後続の音声コンテンツを、前記先行する音声コンテンツの放送中にネットワーク経由で放送することができる放送装置と、前記放送装置によって放送された音声コンテンツを前記ネットワーク経由で受信して再生し、前記先行する音声コンテンツよりも優先順位の高い前記後続の音声コンテンツが放送されたときは、前記先行する音声コンテンツの再生を中断して前記後続の音声コンテンツを再生する放送受信装置とを備え、前記放送装置が、放送される音声コンテンツの優先順位を示す優先順位情報を生成する優先情報生成手段と、前記優先順位情報と前記先行する音声データとを結合して先行の音声放送優先順位データを生成し、さらに前記優先順位情報と前記後続の音声データとを結合して後続の音声放送優先順位データを生成する音声制御データ生成手段と、前記ネットワーク経由で前記先行の音声放送優先順位データを前記放送受信装置に送信し、前記後続の音声コンテンツが有るときには、前記先行する音声コンテンツの放送中に前記後続の音声放送優先順位データを前記放送受信装置に送信する音声制御データ送信手段とを有し、前記放送受信装置が、前記放送装置から前記先行の音声放送優先順位データに加えて前記後続の音声放送優先順位データを前記ネットワーク経由で受信する音声制御データ受信手段と、受信された前記先行の音声放送優先順位データから前記優先順位情報と前記先行する音声データとを抽出し、さらに受信された前記後続の音声放送優先順位データから前記優先順位情報と前記後続の音声データとを抽出する音声制御データ抽出手段と、前記後続の音声放送優先順位データから抽出された後続の優先順位と、前記先行の音声放送優先順位データから抽出された先行の優先順位とを比較する優先順位比較手段と、前記後続の優先順位が前記先行の優先順位よりも高い場合には、前記先行する音声データを記憶し、前記後続の優先順位が前記先行の優先順位よりも低い場合には、前記後続の音声データを記憶する音声データ記憶手段と、抽出された音声データに基づいて音声コンテンツの再生が終了したことを検出する再生終了検出手段と、前記再生終了検出手段が音声コンテンツの再生が終了したことを検出するまで、抽出された前記音声データに応じて音声を再生する音声再生手段と、前記再生終了検出手段が音声コンテンツの再生が終了したことを検出した場合には、記憶された音声データを読み出す音声データ読出手段と、読み出された前記後続の音声データと前記先行する音声コンテンツとの何れかに応じて音声を再生する音声再生手段とを備えた構成を有している。
この構成により、音声コンテンツの優先順位を示す優先順位情報と音声データとを結合して音声放送優先順位データで通信するため、先行する音声コンテンツの放送中に後続の音声コンテンツを放送しても、優先順位の低い音声コンテンツに割込み、優先順位の高い音声コンテンツをリアルタイムに再生することができる。例えば、緊急度の高い音声コンテンツをリアルタイムに再生することができる。
【００１０】
また、本発明の放送システムは、所定の音声コンテンツをネットワーク経由で放送する放送装置と、前記放送装置によって送信された前記音声コンテンツを前記ネットワーク経由で受信して再生する放送受信装置とを備え、前記放送装置が、前記音声コンテンツを所定の情報量のデータに分割して音声データを生成する音声データ生成手段と、前記音声データの再生に関する制御を行うための制御情報を生成する制御情報生成手段と、前記音声データと前記制御情報とを結合して音声制御データを生成する音声制御データ生成手段と、前記音声制御データを前記ネットワーク経由で前記放送受信装置に送信する音声制御データ送信手段とを有し、前記放送受信装置が、前記放送装置から前記音声制御データを前記ネットワーク経由で受信する音声制御データ受信手段と、受信された前記音声制御データから前記制御情報と前記音声データとを抽出する音声制御データ抽出手段と、前記音声制御データから抽出された前記制御情報に基づいて前記音声データの再生に関する制御を行う制御手段と、前記音声制御データから抽出された前記音声データを再生する音声再生手段と、さらに前記放送装置が、文字を示す文字情報を生成する文字情報生成手段と、前記文字情報と前記音声制御データとを結合して文字音声制御データを生成する文字音声制御データ生成手段とを有し、前記音声制御データ送信手段が、前記文字音声データを前記放送受信装置に前記ネットワーク経由で送信し、前記放送受信装置が、前記音声制御データ受信手段が受信した前記文字音声制御データから前記文字情報と前記音声制御データとを抽出する手段と、抽出された前記文字情報に応じて前記文字を視覚的に表示する表示手段とを有し、前記制御手段が、前記音声制御データ抽出手段によって前記音声制御データから抽出された前記制御情報に基づいて前記音声データの再生に関する制御を行い、前記音声再生手段が、前記音声制御データ抽出手段によって前記音声制御データから抽出された前記音声データに応じて音声を出力し、前記表示手段が、前記音声の出力に連動して前記文字を視覚的に表示することを備えた構成を有している。
この構成により、文字情報と音声制御データとを結合して文字音声制御データで通信するため、音声データの再生と連動して文字情報を表示することができる。
【００１１】
また、本発明の放送システムは、所定の音声コンテンツをネットワーク経由で放送する放送装置と、前記放送装置によって送信された前記音声コンテンツを前記ネットワーク経由で受信して再生する放送受信装置とを備え、前記放送装置が、前記音声コンテンツを所定の情報量のデータに分割して音声データを生成する音声データ生成手段と、前記音声データの再生に関する制御を行うための制御情報を生成する制御情報生成手段と、前記音声データと前記制御情報とを結合して音声制御データを生成する音声制御データ生成手段と、前記音声制御データを前記ネットワーク経由で前記放送受信装置に送信する音声制御データ送信手段とを有し、前記放送受信装置が、前記放送装置から前記音声制御データを前記ネットワーク経由で受信する音声制御データ受信手段と、受信された前記音声制御データから前記制御情報と前記音声データとを抽出する音声制御データ抽出手段と、前記音声制御データから抽出された前記制御情報に基づいて前記音声データの再生に関する制御を行う制御手段と、前記音声制御データから抽出された前記音声データを再生する音声再生手段と、さらに前記放送装置が、暗号化された暗号情報を生成する暗号情報生成手段と、前記暗号情報と前記音声制御データとを結合して暗号音声制御データを生成する手段とを有し、前記音声制御データ送信手段が、前記暗号音声制御データを前記放送受信装置に前記ネットワーク経由で送信し、前記放送受信装置が、前記音声制御データ受信手段が受信した前記暗号音声制御データに含まれる前記暗号情報を解読して前記音声制御データを抽出する暗号解読手段とを有し、前記制御手段が、前記音声制御データ抽出手段によって前記音声制御データから抽出された前記制御情報に基づいて前記音声データの再生に関する制御を行い、前記音声再生手段が、前記音声制御データ抽出手段によって前記音声制御データから抽出された前記音声データに応じて音声を再生することを備えた構成を有している。
この構成により、暗号情報と音声制御データとを結合して暗号音声制御データで通信するため、音声制御データの盗聴、改ざん等を防止することができる。
【００１２】
また、本発明の放送システムは、所定の音声コンテンツをネットワーク経由で放送する放送装置と、前記放送装置によって送信された前記音声コンテンツを前記ネットワーク経由で受信して再生する放送受信装置とを備え、前記放送装置が、前記音声コンテンツを所定の情報量のデータに分割して音声データを生成する音声データ生成手段と、前記音声データの再生に関する制御を行うための制御情報を生成する制御情報生成手段と、前記音声データと前記制御情報とを結合して音声制御データを生成する音声制御データ生成手段と、前記音声制御データを前記ネットワーク経由で前記放送受信装置に送信する音声制御データ送信手段とを有し、前記放送受信装置が、前記放送装置から前記音声制御データを前記ネットワーク経由で受信する音声制御データ受信手段と、受信された前記音声制御データから前記制御情報と前記音声データとを抽出する音声制御データ抽出手段と、前記音声制御データから抽出された前記制御情報に基づいて前記音声データの再生に関する制御を行う制御手段と、前記音声制御データから抽出された前記音声データを再生する音声再生手段と、さらに前記放送装置の音声制御データ生成手段が、一定時間間隔で前記音声制御データを生成し、前記放送装置の音声制御データ送信手段が、前記音声データに加えて前記一定時間間隔で前記音声制御データを前記ネットワーク経由で前記放送受信装置に送信し、前記放送受信装置の音声制御データ受信手段が、前記放送装置から前記音声データと前記音声制御データの何れかを前記ネットワーク経由で受信し、前記放送受信装置の前記音声制御データ抽出手段が、受信された前記音声制御データから前記制御情報と前記音声データとを抽出し、前記放送受信装置の前記制御手段が、抽出された前記制御情報に基づいて一定時間の間、音声データの再生に関する制御を行い、前記放送受信装置の前記音声再生手段が、抽出された前記音声データと前記音声制御データ受信手段が受信した前記音声データの何れかに応じて音声を再生することを備えた構成を有している。
この構成により、一定時間間隔で前記音声制御データを送信する他は音声データだけを送信するため、送信するデータ量を低減でき、効率の良い通信ができる。
【００１３】
本発明の放送装置は、所定の音声コンテンツをネットワーク経由で放送受信装置に放送する放送装置であって、前記音声コンテンツを所定の情報量のデータに分割して音声データを生成する音声データ生成手段と、前記音声データの再生に関する制御を行うための制御情報を生成する制御情報生成手段と、前記音声データと前記制御情報とを結合して音声制御データを生成する音声制御データ生成手段と、前記音声制御データを前記ネットワーク経由で前記放送受信装置に送信する音声制御データ送信手段とを備えた構成を有している。
この構成により、音声データと制御情報とを結合した音声制御データを送信するため、放送受信装置にリアルタイムで効率的かつ簡易に音声データの再生に関する制御をさせることができる。
【００１４】
また、本発明の放送装置は、所定の音声コンテンツをネットワーク経由で放送受信装置に放送する放送装置であって、前記音声コンテンツを所定の情報量のデータに分割して音声データを生成する音声データ生成手段と、前記音声データの再生に関する制御を行うための制御情報を生成する制御情報生成手段と、前記音声データと前記制御情報とを結合して音声制御データを生成する音声制御データ生成手段と、前記音声制御データを前記ネットワーク経由で前記放送受信装置に送信する音声制御データ送信手段とを備え、さらに、前記制御情報が、前記放送受信装置が有する音声再生手段のうちの前記音声データを再生させる音声再生手段を指定する選択情報を含む構成を有している。
この構成により、音声データを再生させる音声再生手段を指定する選択情報と音声データとを結合した音声制御データを送信するため、放送受信装置に指定された音声再生手段に音声をリアルタイムで再生させることができる。
【００１５】
また、本発明の放送装置は、所定の音声コンテンツをネットワーク経由で放送受信装置に放送する放送装置であって、前記音声コンテンツを所定の情報量のデータに分割して音声データを生成する音声データ生成手段と、前記音声データの再生に関する制御を行うための制御情報を生成する制御情報生成手段と、前記音声データと前記制御情報とを結合して音声制御データを生成する音声制御データ生成手段と、前記音声制御データを前記ネットワーク経由で前記放送受信装置に送信する音声制御データ送信手段とを備え、さらに、前記放送受信装置が有する音声再生手段を所定数のエリアに対応させて区分し、前記制御情報が、前記放送受信装置内のエリアを示すエリア情報を含む構成を有している。
この構成により、放送受信装置内のエリアを示すエリア情報と音声データとを結合した音声制御データを送信するため、放送受信装置にエリア情報に示されたエリアに音声コンテンツをリアルタイムで再生させることができ、各エリアに同一の放送ができる。
【００１６】
また、本発明の放送装置は、先行する音声コンテンツの放送後に放送される後続の音声コンテンツを、前記先行する音声コンテンツの放送中にネットワーク経由で放送受信装置に放送することができる放送装置であって、放送される音声コンテンツが前記後続の音声コンテンツであることを示す属性情報を生成する属性情報生成手段と、前記属性情報と前記後続の音声データとを結合して音声放送後続データを生成する音声制御データ生成手段と、前記ネットワーク経由で前記先行する音声コンテンツを前記放送受信装置に送信し、前記後続の音声コンテンツが有るときには、前記先行する音声コンテンツの放送中に前記音声放送後続データを前記放送受信装置に送信する音声制御データ送信手段とを備えた構成を有している。
この構成により、後続の音声コンテンツであることを示す属性情報と後続の音声データとを結合して音声放送後続データを送信するため、先行する音声コンテンツの放送中に後続の音声コンテンツを放送しても、先行する音声コンテンツが終了した後に放送受信装置に後続の音声コンテンツを再生させることができる。
【００１７】
また、本発明の放送装置は、先行する音声コンテンツの放送中または放送後に放送される後続の音声コンテンツを、前記先行する音声コンテンツの放送中にネットワーク経由で放送受信装置に放送することができる放送装置であって、放送される音声コンテンツの優先順位を示す優先順位情報を生成する優先情報生成手段と、前記優先順位情報と前記先行する音声データとを結合して先行の音声放送優先順位データを生成し、さらに前記優先順位情報と前記後続の音声データとを結合して後続の音声放送優先順位データを生成する音声制御データ生成手段と、前記ネットワーク経由で前記先行の音声放送優先順位データを前記放送受信装置に送信し、前記後続の音声コンテンツが有るときには、前記先行する音声コンテンツの放送中に前記後続の音声放送優先順位データを前記放送受信装置に送信する音声制御データ送信手段とを備えた構成を有している。
この構成により、音声コンテンツの優先順位を示す優先順位情報と音声データとを結合して音声放送優先順位データを送信するため、先行する音声コンテンツの放送中に後続の音声コンテンツを放送しても、放送受信装置に優先順位の低い音声コンテンツに割込ませ、優先順位の高い音声コンテンツをリアルタイムに再生させることができる。
【００１８】
また、本発明の放送装置は、所定の音声コンテンツをネットワーク経由で放送受信装置に放送する放送装置であって、前記音声コンテンツを所定の情報量のデータに分割して音声データを生成する音声データ生成手段と、前記音声データの再生に関する制御を行うための制御情報を生成する制御情報生成手段と、前記音声データと前記制御情報とを結合して音声制御データを生成する音声制御データ生成手段と、前記音声制御データを前記ネットワーク経由で前記放送受信装置に送信する音声制御データ送信手段とを備え、さらに、文字を示す文字情報を生成する文字情報生成手段と、前記文字情報と前記音声制御データとを結合して文字音声制御データを生成する文字音声制御データ生成手段とを備え、前記音声制御データ送信手段は、前記文字音声データを前記放送受信装置に前記ネットワーク経由で送信する構成を有している。
この構成により、文字情報と音声制御データとを結合して文字音声制御データを送信するため、放送受信装置に音声データの再生と連動して文字情報を表示させることができる。
【００１９】
また、本発明の放送装置は、所定の音声コンテンツをネットワーク経由で放送受信装置に放送する放送装置であって、前記音声コンテンツを所定の情報量のデータに分割して音声データを生成する音声データ生成手段と、前記音声データの再生に関する制御を行うための制御情報を生成する制御情報生成手段と、前記音声データと前記制御情報とを結合して音声制御データを生成する音声制御データ生成手段と、前記音声制御データを前記ネットワーク経由で前記放送受信装置に送信する音声制御データ送信手段とを備え、さらに、暗号化された暗号情報を生成する暗号情報生成手段と、前記暗号情報と前記音声制御データとを結合して暗号音声制御データを生成する手段とを備え、前記音声制御データ送信手段は、前記暗号音声制御データを前記放送受信装置に前記ネットワーク経由で送信する構成を有している。
この構成により、暗号情報と音声制御データとを結合して暗号音声制御データを送信するため、音声制御データの盗聴、改ざん等を防止することができる。
【００２０】
また、本発明の放送装置は、所定の音声コンテンツをネットワーク経由で放送受信装置に放送する放送装置であって、前記音声コンテンツを所定の情報量のデータに分割して音声データを生成する音声データ生成手段と、前記音声データの再生に関する制御を行うための制御情報を生成する制御情報生成手段と、前記音声データと前記制御情報とを結合して音声制御データを生成する音声制御データ生成手段と、前記音声制御データを前記ネットワーク経由で前記放送受信装置に送信する音声制御データ送信手段とを備え、さらに、前記音声制御データ生成手段が、一定時間間隔で前記音声制御データを生成し、前記音声制御データ送信手段が、前記音声データに加えて前記一定時間間隔で前記音声制御データを前記ネットワーク経由で前記放送受信装置に送信する構成を有している。
この構成により、一定時間間隔で前記音声制御データを送信する他は音声データだけを送信するため、送信するデータ量を低減でき、効率の良い通信ができる。
【００２１】
本発明の放送受信装置は、所定の音声コンテンツをネットワーク経由で放送する放送装置によって送信された前記音声コンテンツを前記ネットワーク経由で受信して再生する放送受信装置であって、前記放送装置から音声制御データを前記ネットワーク経由で受信する音声制御データ受信手段と、受信された前記音声制御データから制御情報と音声データとを抽出する音声制御データ抽出手段と、前記音声制御データから抽出された前記制御情報に基づいて前記音声データの再生に関する制御を行う制御手段と、前記音声制御データから抽出された前記音声データを再生する音声再生手段とを備えた構成を有している。
この構成により、音声データと制御情報とを結合した音声制御データを受信するため、音声データの再生に関する制御をリアルタイムで効率的かつ簡易に行うことができる。
【００２２】
また、本発明の放送受信装置は、所定の音声コンテンツをネットワーク経由で放送する放送装置によって送信された前記音声コンテンツを前記ネットワーク経由で受信して再生する放送受信装置であって、前記放送装置から音声制御データを前記ネットワーク経由で受信する音声制御データ受信手段と、受信された前記音声制御データから制御情報と音声データとを抽出する音声制御データ抽出手段と、前記音声制御データから抽出された前記制御情報に基づいて前記音声データの再生に関する制御を行う制御手段と、前記音声制御データから抽出された前記音声データを再生する音声再生手段とを備え、さらに、前記制御情報が、前記音声再生手段のうちの前記音声データを再生させる音声再生手段を指定する選択情報を含み、前記制御手段が、前記音声制御データから抽出された前記制御情報に指定された音声再生手段に前記音声データを再生するように制御する構成を有している。
この構成により、音声データを再生させる音声再生手段を指定する選択情報と音声データとを結合した音声制御データを受信するため、指定された音声再生手段に音声をリアルタイムで再生することができる。
【００２３】
また、本発明の放送受信装置は、所定の音声コンテンツをネットワーク経由で放送する放送装置によって送信された前記音声コンテンツを前記ネットワーク経由で受信して再生する放送受信装置であって、前記放送装置から音声制御データを前記ネットワーク経由で受信する音声制御データ受信手段と、受信された前記音声制御データから制御情報と音声データとを抽出する音声制御データ抽出手段と、前記音声制御データから抽出された前記制御情報に基づいて前記音声データの再生に関する制御を行う制御手段と、前記音声制御データから抽出された前記音声データを再生する音声再生手段とを備え、さらに、前記音声再生手段を複数備え、前記音声再生手段を所定数のエリアに対応させて区分し、前記制御情報が、前記放送受信装置内のエリアを示すエリア情報を含み、前記制御手段が、前記音声制御データから抽出された前記制御情報に示された前記エリアに対応した前記各音声再生手段に前記音声データを再生するように制御する構成を有している。
この構成により、放送受信装置内のエリアを示すエリア情報と音声データとを結合した音声制御データを受信するため、エリア情報に示されたエリアに音声コンテンツをリアルタイムで再生することができ、各エリアに同一の放送ができる。
【００２４】
また、本発明の放送受信装置は、先行する音声コンテンツの放送後に放送される後続の音声コンテンツを、前記先行する音声コンテンツの放送中にネットワーク経由で放送することができる放送装置によって放送された音声コンテンツを前記ネットワーク経由で受信して再生し、前記後続の音声コンテンツが有るときには、前記先行する音声コンテンツの再生が終了した後に前記後続の音声コンテンツを再生する放送受信装置であって、前記放送装置から前記先行する音声コンテンツに加えて音声放送後続データを前記ネットワーク経由で受信する音声制御データ受信手段と、受信された前記音声放送後続データから属性情報と後続の音声データとを抽出する音声制御データ抽出手段と、受信された前記先行する音声コンテンツに基づいて音声コンテンツの再生が終了したことを検出する再生終了検出手段と、前記再生終了検出手段が音声コンテンツの再生が終了したことを検出するまで、抽出された前記後続の音声データを記憶する音声データ記憶手段と、前記再生終了検出手段が音声コンテンツの再生が終了したことを検出したときには、記憶された前記後続の音声データを読み出す音声データ読出手段と、読み出された前記後続の音声データと前記先行する音声コンテンツとの何れかに応じて音声を再生する音声再生手段とを備えた構成を有している。
この構成により、後続の音声コンテンツであることを示す属性情報と後続の音声データとを結合して音声放送後続データを受信するため、先行する音声コンテンツの放送中に後続の音声コンテンツを放送しても、先行する音声コンテンツが終了した後に後続の音声コンテンツを再生することができる。
【００２５】
また、本発明の放送受信装置は、先行する音声コンテンツの放送中または放送後に放送される後続の音声コンテンツを、前記先行する音声コンテンツの放送中にネットワーク経由で放送することができる放送装置によって放送された音声コンテンツを前記ネットワーク経由で受信して再生し、前記先行する音声コンテンツよりも優先順位の高い前記後続の音声コンテンツが放送されたときは、前記先行する音声コンテンツの再生を中断して前記後続の音声コンテンツを再生する放送受信装置とを備え、前記放送装置から先行の音声放送優先順位データに加えて後続の音声放送優先順位データを前記ネットワーク経由で受信する音声制御データ受信手段と、受信された前記先行の音声放送優先順位データから優先順位情報と先行する音声データとを抽出し、さらに受信された前記後続の音声放送優先順位データから優先順位情報と後続の音声データとを抽出する音声制御データ抽出手段と、前記後続の音声放送優先順位データから抽出された後続の優先順位と、前記先行の音声放送優先順位データから抽出された先行の優先順位とを比較する優先順位比較手段と、前記後続の優先順位が前記先行の優先順位よりも高い場合には、前記先行する音声データを記憶し、前記後続の優先順位が前記先行の優先順位よりも低い場合には、前記後続の音声データを記憶する音声データ記憶手段と、抽出された音声データに基づいて音声コンテンツの再生が終了したことを検出する再生終了検出手段と、前記再生終了検出手段が音声コンテンツの再生が終了したことを検出するまで、抽出された前記音声データに応じて音声を再生する音声再生手段と、前記再生終了検出手段が音声コンテンツの再生が終了したことを検出した場合には、記憶された音声データを読み出す音声データ読出手段と、読み出された前記後続の音声データと前記先行する音声コンテンツとの何れかに応じて音声を再生する音声再生手段とを備えた構成を有している。
この構成により、音声コンテンツの優先順位を示す優先順位情報と音声データとを結合して音声放送優先順位データを受信するため、先行する音声コンテンツの放送中に後続の音声コンテンツを放送しても、優先順位の低い音声コンテンツに割込み、優先順位の高い音声コンテンツをリアルタイムに再生することができる。
【００２６】
また、本発明の放送受信装置は、所定の音声コンテンツをネットワーク経由で放送する放送装置によって送信された前記音声コンテンツを前記ネットワーク経由で受信して再生する放送受信装置であって、前記放送装置から音声制御データを前記ネットワーク経由で受信する音声制御データ受信手段と、受信された前記音声制御データから制御情報と音声データとを抽出する音声制御データ抽出手段と、前記音声制御データから抽出された前記制御情報に基づいて前記音声データの再生に関する制御を行う制御手段と、前記音声制御データから抽出された前記音声データを再生する音声再生手段とを備え、さらに、前記音声制御データ受信手段が受信した文字音声制御データから文字情報と前記音声制御データとを抽出する手段と、抽出された文字情報に応じて文字を視覚的に表示する表示手段とを備え、前記制御手段が、前記音声制御データ抽出手段によって前記音声制御データから抽出された前記制御情報に基づいて前記音声データの再生に関する制御を行い、前記音声再生手段が、前記音声制御データ抽出手段によって前記音声制御データから抽出された前記音声データに応じて音声を出力し、前記表示手段が、前記音声の出力に連動して前記文字を視覚的に表示する構成を有している。
この構成により、文字情報と音声制御データとを結合して文字音声制御データを受信するため、音声データの再生と連動して文字情報を表示することができる。
【００２７】
また、本発明の放送受信装置は、所定の音声コンテンツをネットワーク経由で放送する放送装置によって送信された前記音声コンテンツを前記ネットワーク経由で受信して再生する放送受信装置であって、前記放送装置から音声制御データを前記ネットワーク経由で受信する音声制御データ受信手段と、受信された前記音声制御データから制御情報と音声データとを抽出する音声制御データ抽出手段と、前記音声制御データから抽出された前記制御情報に基づいて前記音声データの再生に関する制御を行う制御手段と、前記音声制御データから抽出された前記音声データを再生する音声再生手段とを備え、さらに、前記音声制御データ受信手段が受信した暗号音声制御データに含まれる暗号情報を解読して音声制御データを抽出する暗号解読手段を備え、前記制御手段が、前記音声制御データ抽出手段によって前記音声制御データから抽出された前記制御情報に基づいて前記音声データの再生に関する制御を行い、前記音声再生手段が、前記音声制御データ抽出手段によって前記音声制御データから抽出された前記音声データに応じて音声を再生する構成を有している。
この構成により、暗号情報と音声制御データとを結合して暗号音声制御データを受信するため、音声制御データの盗聴、改ざん等を防止することができる。
【００２８】
また、本発明の放送受信装置は、所定の音声コンテンツをネットワーク経由で放送する放送装置によって送信された前記音声コンテンツを前記ネットワーク経由で受信して再生する放送受信装置であって、前記放送装置から音声制御データを前記ネットワーク経由で受信する音声制御データ受信手段と、受信された前記音声制御データから制御情報と音声データとを抽出する音声制御データ抽出手段と、前記音声制御データから抽出された前記制御情報に基づいて前記音声データの再生に関する制御を行う制御手段と、前記音声制御データから抽出された前記音声データを再生する音声再生手段とを備え、さらに、前記音声制御データ受信手段が、前記放送装置から前記音声データと前記音声制御データの何れかを前記ネットワーク経由で受信し、前記音声制御データ抽出手段が、受信された前記音声制御データから前記制御情報と前記音声データとを抽出し、前記制御手段が、抽出された前記制御情報に基づいて一定時間の間、音声データの再生に関する制御を行い、前記音声再生手段が、抽出された前記音声データと前記音声制御データ受信手段が受信した前記音声データの何れかに応じて音声を再生する構成を有している。
この構成により、一定時間間隔で前記音声制御データを送信する他は音声データだけを受信するため、受信するデータ量を低減でき、効率の良い通信ができる。
【００２９】
【発明の実施の形態】
以下、本発明の実施の形態について、図面を参照して説明する。
（第１の実施の形態）
図１は、本発明の第１の実施の形態の放送システムのシステム構成を示すブロック図である。本発明の第１の実施の形態の放送システム１００は、所定の音声コンテンツをネットワーク１３０経由で放送する放送装置１１０及び放送装置１１０によって送信された音声コンテンツをネットワーク１３０経由で受信して再生する１つまたは複数の放送受信装置１２０によって構成される。なお、本発明によれば、放送装置１１０は、企業の本社の放送管理室などに設置され、放送受信装置１２０は、企業の支社などに設置されて、音声コンテンツを再生するようにしてもよい。
【００３０】
放送装置１１０は、音声コンテンツを所定の情報量のデータに分割して音声データを生成する音声データ生成手段１１１、音声データの再生に関する制御を行うための制御情報を生成する制御情報生成手段１１２、音声データと制御情報とを結合して音声制御データを生成する音声制御データ生成手段１１３、及び音声制御データをネットワーク１３０経由で放送受信装置１２０に送信する音声制御データ送信手段１１４によって構成される。
【００３１】
放送受信装置１２０は、放送装置１１０から音声制御データをネットワーク１３０経由で受信する音声制御データ受信手段１２１、受信された音声制御データから制御情報と音声データとを抽出する音声制御データ抽出手段１２２、音声制御データから抽出された制御情報に基づいて音声データの再生に関する制御を行う制御手段１２３、音声制御データから抽出された音声データを再生する１つ以上の音声再生手段１２４、及び再生された音声データに応じて音声を出力する音声再生手段１２４毎の音声出力手段１２５によって構成される。なお、本発明によれば、音声出力手段１２５は、企業の支社の各オフィスルームなどに設置してもよい。
【００３２】
音声データ生成手段１１１は、音声コンテンツを構成する電子データを所定の情報量のデータに分割して音声データを生成し、生成された各々の音声データを音声制御データ生成手段１１３に出力するようになっている。なお、音声コンテンツは、アナウンスされる音声、背景音楽等であり、音声データとは、音声の信号をサンプリングし、量子化して得られたデジタルのデータである。
【００３３】
制御情報生成手段１１２は、音声データの再生に関する制御を行うための制御情報を生成し、生成された制御情報を音声制御データ生成手段１１３に出力するようになっている。例えば、制御情報は、各音声再生手段１２４のうち少なくとも１つの音声再生手段を指定する選択情報などを含む。
【００３４】
音声制御データ生成手段１１３には、音声データ生成手段１１１によって出力された音声データと制御情報生成手段１１２によって出力された制御情報とが入力されるようになっている。音声制御データ生成手段１１３は、入力された音声データと制御情報とを結合して音声制御データを生成し、生成された音声制御データを音声制御データ送信手段１１４に出力するようになっている。なお、図７（ａ）に示すように、音声制御データは、音声データｄ１と制御情報ｄ２とが結合されたデータによって構成される。また、制御情報ｄ２が選択情報となる場合には、図７（ｂ）に示すように、音声データｄ１と選択情報ｄ３とが結合されたデータによって構成される。
なお、本発明によれば、音声制御データ生成手段１１３は、図７（ｈ）に示すように一定時間間隔で図７（ａ）に示した音声制御データを生成し、音声データｄ１と音声制御データの何れかを音声制御データ送信手段１１４に出力するようにしてもよい。
【００３５】
音声制御データ送信手段１１４には、音声制御データ生成手段１１３によって出力された音声データと音声制御データとが入力され、音声制御データ送信手段１１４は、音声データと音声制御データとをネットワーク１３０経由で放送受信装置１２０に送信するようになっている。
また、図７（ｈ）に示したように音声制御データ生成手段１１３が一定時間間隔で図７（ａ）に示した音声制御データを生成しているときには、音声制御データ送信手段１１４は、音声データｄ１を送信して一定時間間隔の周期で音声制御データを送信するようになっている。
【００３６】
音声制御データ受信手段１２１は、放送装置１１０によって送信された音声データと音声制御データとをネットワーク１３０経由で受信し、受信された音声データと音声制御データとを音声制御データ抽出手段１２２に出力するようになっている。
【００３７】
音声制御データ抽出手段１２２には、音声制御データ受信手段１２１によって出力された音声データと音声制御データとが入力され、音声制御データ抽出手段１２２は、音声制御データから制御情報と音声データとを抽出するようになっている。音声制御データ抽出手段１２２は、抽出された制御情報及び音声データと音声制御データ受信手段１２１によって出力された音声データとを制御手段１２３に出力するようになっている。
【００３８】
制御手段１２３には、音声制御データ抽出手段１２２によって出力された制御情報と音声データとが入力され、制御手段１２３は、制御情報に基づいて音声データの再生に関する制御を行い、音声データを音声再生手段１２４に出力するようになっている。例えば、各音声再生手段１２４のうち少なくとも１つの音声再生手段を指定する選択情報であれば、制御情報に指定された音声再生手段１２４だけに音声データを出力するように制御するようになっている。
また、音声制御データ生成手段１１３が一定時間間隔で音声制御データを生成しているときには、制御手段１２３は、抽出された制御情報に基づいて一定時間の間、音声データの再生に関する制御を行うようになっている。
【００３９】
音声再生手段１２４には、制御手段１２３によって出力された音声データが入力され、音声再生手段１２４は、音声データを再生し、再生された音声データを音声信号に変換し、変換された音声信号を増幅して音声出力手段１２５に出力するようになっている。
【００４０】
音声出力手段１２５には、音声再生手段１２４によって出力された音声信号が入力され、音声出力手段１２５は、音声信号に応じて音声を出力するようになっている。
【００４１】
以下、放送システム１００の放送装置１１０及び放送受信装置１２０の動作について、図１を参照して説明する。
まず、音声データは、音声データ生成手段１１１によって音声コンテンツを構成する電子データに基づいて生成され、音声制御データ生成手段１１３に出力される。一方、制御情報は、制御情報生成手段１１２によって生成され、音声制御データ生成手段１１３に出力される。ここで、音声制御データは、音声制御データ生成手段１１３によって音声データと制御情報とが結合されて生成され、音声制御データ送信手段１１４によって放送受信装置１２０に送信される。
次いで、音声制御データは、音声制御データ受信手段１２１によって受信され、音声制御データ抽出手段１２２に出力される。ここで、制御情報及び音声データは、音声制御データ抽出手段１２２によって抽出され、制御手段１２３に出力される。制御情報が各音声再生手段１２４のうち少なくとも１つの音声再生手段を指定する選択情報であれば、音声データは、制御手段１２３によって制御情報に指定された音声再生手段１２４だけに出力される。最後に、音声データは、音声再生手段１２４によって再生され、音声信号に変換され、音声出力手段１２５に出力され、音声信号は、音声出力手段１２５によって音声となって出力される。
【００４２】
以上説明したように、本発明の第１の実施の形態の放送システムは、音声データと制御情報とを結合した音声制御データで通信するため、音声データの再生に関する制御をリアルタイムで効率的かつ簡易に行うことができる。また、音声データを再生させる音声再生手段を指定する選択情報と音声データとを結合した音声制御データで通信するため、指定された音声再生手段に音声をリアルタイムで再生することができる。また、一定時間間隔で音声制御データを送信する他は音声データだけを送信するため、送信するデータ量を低減でき、効率の良い通信ができる。
【００４３】
（第２の実施の形態）
図２は、本発明の第２の実施の形態の放送システムのシステム構成を示すブロック図である。本発明の第２の実施の形態の放送システム２００は、所定の音声コンテンツをネットワーク１３０経由で放送する放送装置２１０及び放送装置２１０によって送信された音声コンテンツをネットワーク１３０経由で受信して再生する１つまたは複数の放送受信装置２２０によって構成される。なお、本発明によれば、放送装置２１０は、企業の本社の放送管理室などに設置され、放送受信装置２２０は、企業の支社などに設置されて、音声コンテンツを再生するようにしてもよい。
【００４４】
放送装置２１０は、音声コンテンツを所定の情報量のデータに分割して音声データを生成する音声データ生成手段１１１、放送受信装置２２０内のエリア２０１を示すエリア情報を含む制御情報を生成するエリア情報生成手段２１２、音声データと制御情報とを結合して音声制御データを生成する音声制御データ生成手段２１３、及び音声制御データをネットワーク１３０経由で放送受信装置２２０に送信する音声制御データ送信手段２１４によって構成される。
【００４５】
放送受信装置２２０は、放送装置２１０から音声制御データをネットワーク１３０経由で受信する音声制御データ受信手段２２１、受信された音声制御データから制御情報と音声データとを抽出する音声制御データ抽出手段２２２、音声制御データから抽出された音声データを再生する１つ以上の音声再生手段１２４、再生された音声データに応じて音声を出力する音声再生手段１２４毎の音声出力手段１２５、及び制御情報に示されたエリア２０１に対応させた各音声再生手段１２４に音声データを再生するように制御する制御手段２２３によって構成される。なお、本発明によれば、音声再生手段１２４を所定数のエリア２０１に対応させて区分し、例えば、企業の支社の各階毎などに対応させて区分する。音声出力手段１２５は、企業の支社の各階の各オフィスルームなどに設置してもよい。
【００４６】
なお、本発明の第２の実施の形態の放送システム２００を構成する手段のうち、本発明の第１の実施の形態の放送システム１００を構成する手段と同一の手段には同一の符号を付し、それぞれの説明を省略する。
【００４７】
エリア情報生成手段２１２は、放送受信装置２２０内のエリア２０１を示す制御情報からなるエリア情報を生成し、生成されたエリア情報を音声制御データ生成手段２１３に出力するようになっている。
【００４８】
音声制御データ生成手段２１３には、音声データ生成手段１１１によって出力された音声データとエリア情報生成手段２１２によって出力されたエリア情報とが入力されるようになっている。音声制御データ生成手段２１３は、入力された音声データとエリア情報とを結合して音声制御データを生成し、生成された音声制御データを音声制御データ送信手段２１４に出力するようになっている。なお、図７（ｃ）に示すように、音声制御データは、音声データｄ１と選択情報ｄ４とが結合されたデータによって構成される。
【００４９】
音声制御データ送信手段２１４には、音声制御データ生成手段２１３によって出力された音声制御データが入力され、音声制御データ送信手段２１４は、音声制御データをネットワーク１３０経由で放送受信装置２２０に送信するようになっている。
【００５０】
音声制御データ受信手段２２１は、放送装置２１０によって送信された音声制御データをネットワーク１３０経由で受信し、受信された音声制御データを音声制御データ抽出手段２２２に出力するようになっている。
【００５１】
音声制御データ抽出手段２２２には、音声制御データ受信手段２２１によって出力された音声制御データが入力され、音声制御データ抽出手段２２２は、音声制御データから制御情報と音声データとを抽出するようになっている。音声制御データ抽出手段２２２は、抽出された制御情報と音声データとを制御手段２２３に出力するようになっている。
【００５２】
制御手段２２３には、音声制御データ抽出手段１２２によって出力された制御情報と音声データとが入力され、制御手段２２３は、制御情報に示されたエリア２０１に対応させた各音声再生手段１２４に音声データを出力するようになっている。
【００５３】
以下、放送システム２００の放送装置２１０及び放送受信装置２２０の動作について、図２を参照して説明する。
まず、エリア情報は、エリア情報生成手段２１２によって生成され、音声制御データ生成手段２１３に出力される。ここで、音声制御データは、エリア情報と音声データ生成手段１１１によって出力された音声データとが音声制御データ生成手段２１３によって結合されて生成され、音声制御データ送信手段２１４によって放送受信装置２２０に送信される。
次いで、音声制御データは、音声制御データ受信手段２２１によって受信され、音声制御データ抽出手段２２２に出力される。ここで、エリア情報及び音声データは、音声制御データ抽出手段２２２によって抽出され、制御手段２２３に出力される。最後に、音声データは、制御手段２２３によってエリア情報に示されたエリア２０１に対応させた各音声再生手段１２４に出力される。
【００５４】
以上説明したように、本発明の第２の実施の形態の放送システムは、放送受信装置内のエリアを示すエリア情報と音声データとを結合した音声制御データで通信するため、エリア情報に示されたエリアに音声コンテンツをリアルタイムで再生することができ、各エリアに同一の放送ができる。
【００５５】
（第３の実施の形態）
図３は、本発明の第３の実施の形態の放送システムのシステム構成を示すブロック図である。本発明の第３の実施の形態の放送システム３００は、先行する音声コンテンツの放送後に放送される後続の音声コンテンツを、先行する音声コンテンツの放送中にネットワーク１３０経由で放送することができる放送装置３１０及び放送装置３１０によってネットワーク１３０経由で放送された音声コンテンツを受信して再生し、後続の音声コンテンツが有るときには、先行する音声コンテンツの再生が終了した後に後続の音声コンテンツを再生する１つまたは複数の放送受信装置３２０によって構成される。なお、本発明によれば、放送装置３１０は、企業の本社の放送管理室などに設置され、放送受信装置３２０は、企業の支社などに設置されて、音声コンテンツを再生するようにしてもよい。
【００５６】
放送装置３１０は、音声コンテンツを所定の情報量のデータに分割して音声データを生成する音声データ生成手段１１１、放送される音声コンテンツが後続の音声コンテンツであることを示す属性情報を生成する属性情報生成手段３１２、属性情報と後続の音声データとを結合して音声放送後続データを生成する音声制御データ生成手段３１３、及びネットワーク１３０経由で先行する音声コンテンツを放送受信装置３２０に送信し、後続の音声コンテンツが有るときには、先行する音声コンテンツの放送中に音声放送後続データを放送受信装置３２０に送信する音声制御データ送信手段３１４によって構成される。
【００５７】
放送受信装置３２０は、放送装置３１０から先行する音声コンテンツに加えて音声放送後続データをネットワーク１３０経由で受信する音声制御データ受信手段３２１、受信された音声放送後続データから属性情報と後続の音声コンテンツとを抽出する音声制御データ抽出手段３２２、音声データの再生に関する制御を行う制御手段３２３、音声制御データから抽出された音声データを再生する１つ以上の音声再生手段１２４、及び再生された音声データに応じて音声を出力する音声再生手段１２４毎の音声出力手段１２５によって構成される。なお、本発明によれば、音声出力手段１２５は、企業の支社の各オフィスルームなどに設置してもよい。
【００５８】
また、制御手段３２３は、受信された先行する音声コンテンツに基づいて音声コンテンツの再生が終了したことを検出する再生終了検出手段３２８、再生終了検出手段３２８が音声コンテンツの再生が終了したことを検出するまで、抽出された後続の音声データを記憶する音声データ記憶手段３２７、再生終了検出手段３２８が音声コンテンツの再生が終了したことを検出したときには、記憶された後続の音声データを読み出す音声データ読出手段３２９、及び読み出された後続の音声データと先行する音声データの何れかを音声再生手段１２４に出力する音声データ制御出力手段３４０によって構成される。
【００５９】
なお、本発明の第３の実施の形態の放送システム３００を構成する手段のうち、本発明の第１の実施の形態の放送システム１００を構成する手段と同一の手段には同一の符号を付し、それぞれの説明を省略する。
【００６０】
属性情報生成手段３１２は、先行する音声コンテンツの放送中に放送される音声コンテンツが後続の音声コンテンツであることを示す属性情報を生成し、生成された属性情報を音声制御データ生成手段３１３に出力するようになっている。
【００６１】
音声制御データ生成手段３１３には、音声データ生成手段１１１によって出力された先行する音声コンテンツ及び後続の音声データと属性情報生成手段３１２によって出力された属性情報とが入力されるようになっている。なお、先行する音声コンテンツは、先行する音声コンテンツの再生が終了までの先行する音声コンテンツを構成する音声データである。音声制御データ生成手段３１３は、後続の音声データと属性情報とを結合して音声放送後続データを生成し、生成された音声放送後続データを音声制御データ送信手段３１４に出力するようになっている。また、音声制御データ生成手段３１３は、先行する音声コンテンツを音声制御データ送信手段３１４に出力するようになっている。図７（ｄ）に示すように、音声放送後続データは、音声データｄ１と属性情報ｄ５とが結合されたデータによって構成される。
【００６２】
音声制御データ送信手段３１４には、音声制御データ生成手段３１３によって出力された先行する音声コンテンツと音声放送後続データとが入力され、音声制御データ送信手段３１４は、ネットワーク１３０経由で先行する音声コンテンツを放送受信装置３２０に送信するようになっている。また、後続の音声コンテンツが有るときには、音声制御データ送信手段３１４は、先行する音声コンテンツの放送中に音声放送後続データを放送受信装置３２０に送信するようになっている。
【００６３】
音声制御データ受信手段３２１は、放送装置３１０から先行する音声コンテンツに加えて音声放送後続データをネットワーク１３０経由で受信し、受信された先行する音声コンテンツと音声放送後続データとを受音声制御データ抽出手段３２２に出力するようになっている。
【００６４】
音声制御データ抽出手段３２２には、音声制御データ受信手段３２１によって出力された先行する音声コンテンツと音声放送後続データとが入力され、音声制御データ抽出手段３２２は、先行する音声コンテンツを制御手段３２３に出力するようになっている。また、受音声制御データ抽出手段３２２は、音声放送後続データから抽出し、抽出された属性情報と後続の音声データとを制御手段３２３に出力するようになっている。
【００６５】
再生終了検出手段３２８には、音声制御データ抽出手段３２２によって出力された先行する音声コンテンツと後続の音声データ及び属性情報とが入力されるようになっている。再生終了検出手段３２８は、先行する音声コンテンツに基づいて音声コンテンツの再生が終了したことを検出し、音声コンテンツの終了が検出されるまで、後続の音声データを音声データ記憶手段３２７に出力し、先行する音声コンテンツを音声データ制御出力手段３４０に出力するようになっている。また、音声コンテンツの終了が検出されたとき、再生終了検出手段３２８は、音声コンテンツの再生が終了したことを示す音声コンテンツ終了情報を生成し、生成された音声コンテンツ終了情報を音声データ読出手段３２９に出力するようになっている。
【００６６】
音声データ記憶手段３２７には、再生終了検出手段３２８によって出力された後続の音声データが入力され、音声データ記憶手段３２７は、後続の音声データを蓄積して記憶するようになっている。
【００６７】
再生終了検出手段３２８によって出力された音声コンテンツ終了情報が音声データ読出手段３２９に入力されたとき、音声データ読出手段３２９は、音声データ記憶手段３２７によって記憶された後続の音声データを読み出し、読み出された後続の音声データを音声データ制御出力手段３４０に出力するようになっている。
【００６８】
音声データ制御出力手段３４０には、再生終了検出手段３２８によって出力された先行する音声コンテンツと音声データ読出手段３２９によって出力された後続の音声データとが入力されるようになっている。音声データ制御出力手段３４０は、先行する音声コンテンツと後続の音声データとの何れかを各音声再生手段１２４に出力するようになっている。
【００６９】
以下、放送システム３００の放送装置３１０及び放送受信装置３２０の動作について、図３を参照して説明する。
まず、先行する音声コンテンツは、音声制御データ送信手段３１４によって放送受信装置３２０に放送され、放送受信装置３２０によって再生されている。ここで、先行する音声コンテンツの放送中に後続の音声データは、音声データ生成手段１１１によって音声制御データ生成手段３１３に出力される。一方、属性情報は、属性情報生成手段３１２によって生成され、音声制御データ生成手段３１３に出力される。ここで、音声放送後続データは、属性情報と音声データ生成手段１１１によって出力された後続の音声データとが音声制御データ生成手段３１３によって結合されて生成され、音声制御データ送信手段３１４によって放送受信装置３２０に送信される。
次いで、音声放送後続データは、音声制御データ受信手段３２１によって受信され、音声制御データ抽出手段３２２に出力される。ここで、属性情報及び後続の音声データは、音声制御データ抽出手段３２２によって抽出され、制御手段３２３に出力される。さらに、後続の音声データは、再生終了検出手段３２８によって音声データ記憶手段３２７に出力され、音声データ記憶手段３２７によって蓄積され記憶される。その後、再生終了検出手段３２８によって先行する音声コンテンツの再生が終了したことを検出されたときに、音声コンテンツ終了情報は、再生終了検出手段３２８によって生成され、音声データ読出手段３２９に出力される。最後に、音声コンテンツ終了情報が音声データ読出手段３２９に入力されたとき、音声データ記憶手段３２７によって蓄積され記憶された後続の音声データは、音声データ読出手段３２９によって読み出され、音声データ制御出力手段３４０に出力され、各音声再生手段１２４によって出力される。
【００７０】
以上説明したように、本発明の第３の実施の形態の放送システムは、後続の音声コンテンツであることを示す属性情報と後続の音声データとを結合して音声放送後続データで通信するため、先行する音声コンテンツの放送中に後続の音声コンテンツを放送しても、先行する音声コンテンツが終了した後に後続の音声コンテンツを再生することができる。
【００７１】
（第４の実施の形態）
図４は、本発明の第４の実施の形態の放送システムのシステム構成を示すブロック図である。本発明の第４の実施の形態の放送システム４００は、先行する音声コンテンツの放送中または放送後に放送される後続の音声コンテンツを、先行する音声コンテンツの放送中にネットワーク１３０経由で放送することができる放送装置４１０及び放送装置４１０によって放送された音声コンテンツをネットワーク１３０経由で受信して再生し、先行する音声コンテンツよりも優先順位の高い後続の音声コンテンツが放送されたときは、先行する音声コンテンツの再生を中断して後続の音声コンテンツを再生する１つまたは複数の放送受信装置４２０によって構成される。なお、本発明によれば、放送装置４１０は、企業の本社の放送管理室などに設置され、放送受信装置４２０は、企業の支社などに設置されて、音声コンテンツを再生するようにしてもよい。
【００７２】
放送装置４１０は、音声コンテンツを所定の情報量のデータに分割して音声データを生成する音声データ生成手段１１１、放送される音声コンテンツの優先順位を示す優先順位情報を生成する優先情報生成手段４１２、優先順位情報と先行する音声データとを結合して先行の音声放送優先順位データを生成し、さらに優先順位情報と後続の音声データとを結合して後続の音声放送優先順位データを生成する音声制御データ生成手段４１３、及びネットワーク１３０経由で先行の音声放送優先順位データを放送受信装置４２０に送信し、または後続の音声コンテンツが有るときには、先行する音声コンテンツの放送中に後続の音声放送優先順位データを放送受信装置４２０に送信する音声制御データ送信手段４１４によって構成される。
【００７３】
放送受信装置４２０は、放送装置４１０から先行の音声放送優先順位データまたは後続の音声放送優先順位データをネットワーク１３０経由で受信する音声制御データ受信手段４２１、受信された先行の音声放送優先順位データから優先順位情報と先行する音声データとを抽出し、さらに受信された後続の音声放送優先順位データから優先順位情報と後続の音声データとを抽出する音声制御データ抽出手段４２２、音声データの再生に関する制御を行う制御手段４２３、音声制御データから抽出された音声データを再生する１つ以上の音声再生手段１２４、及び再生された音声データに応じて音声を出力する音声再生手段１２４毎の音声出力手段１２５によって構成される。なお、本発明によれば、音声出力手段１２５は、企業の支社の各オフィスルームなどに設置してもよい。
【００７４】
また、制御手段４２３は、後続の音声放送優先順位データから抽出された後続の優先順位と、先行の音声放送優先順位データから抽出された先行の優先順位とを比較する優先順位比較手段４２６、後続の優先順位が先行の優先順位よりも高い場合には、先行の音声放送優先順位データを記憶し、後続の優先順位が先行の優先順位よりも低い場合には、後続の音声放送優先順位データを記憶する音声データ記憶手段４２７、抽出された音声データに基づいて音声コンテンツの再生が終了したことを検出する再生終了検出手段４２８、及び再生終了検出手段が音声コンテンツの再生が終了したことを検出しない場合には、抽出された音声データ音声再生手段１２４に出力する音声データ制御出力手段３４０によって構成される。
【００７５】
なお、本発明の第４の実施の形態の放送システム４００を構成する手段のうち、本発明の第３の実施の形態の放送システム３００を構成する手段と同一の手段には同一の符号を付し、それぞれの説明を省略する。
【００７６】
優先情報生成手段４１２は、放送される音声コンテンツの優先順位を示す優先順位情報を生成し、生成された優先順位情報を音声制御データ生成手段４１３に出力するようになっている。なお、優先情報生成手段４１２は、各音声コンテンツの優先順位に応じて優先順位情報を生成するようになっている。
【００７７】
音声制御データ生成手段４１３には、音声データ生成手段１１１によって出力された先行する音声データ及び後続の音声データと優先情報生成手段４１２によって出力された優先順位情報とが入力されるようになっている。音声制御データ生成手段４１３は、優先順位情報と先行する音声データとを結合して先行の音声放送優先順位データを生成し、生成された先行の音声放送優先順位データを音声制御データ送信手段４１４に出力するようになっている。さらに、音声制御データ生成手段４１３は、優先順位情報と後続の音声データとを結合して後続の音声放送優先順位データを生成し、生成された後続の音声放送優先順位データを音声制御データ送信手段４１４に出力するようになっている。なお、図７（ｅ）に示すように、音声放送優先順位データは、音声データｄ１と優先順位情報ｄ６とが結合されたデータによって構成される。
【００７８】
音声制御データ送信手段４１４には、音声制御データ生成手段４１３によって出力された先行の音声放送優先順位データと後続の音声放送優先順位データとが入力されるようになっている。音声制御データ送信手段４１４は、ネットワーク１３０経由で先行の音声放送優先順位データを放送受信装置４２０に送信し、後続の音声コンテンツが有るときには、先行する音声コンテンツの放送中に後続の音声放送優先順位データを放送受信装置４２０に送信するようになっている。
【００７９】
音声制御データ受信手段４２１は、放送装置４１０から先行の音声放送優先順位データに加えて後続の音声放送優先順位データをネットワーク１３０経由で受信し、受信された先行の音声放送優先順位データと後続の音声放送優先順位データとを音声制御データ抽出手段４２２に出力するようになっている。
【００８０】
音声制御データ抽出手段４２２には、音声制御データ受信手段４２１によって出力された先行の音声放送優先順位データと後続の音声放送優先順位データとが入力されるようになっている。音声制御データ抽出手段４２２は、先行の音声放送優先順位データから優先順位情報と先行する音声データとを抽出し、抽出された先行の優先順位情報と先行する音声データとを制御手段４２３に出力するようになっている。また、音声制御データ抽出手段４２２は、後続の音声放送優先順位データから優先順位情報と後続の音声データとを抽出し、抽出された後続の優先順位情報と後続の音声データとを制御手段４２３に出力するようになっている。
【００８１】
優先順位比較手段４２６には、音声制御データ抽出手段４２２によって出力された先行の優先順位情報及び先行する音声データと後続の優先順位情報及び後続の音声データとが入力されるようになっている。優先順位比較手段４２６は、後続の優先順位と先行の優先順位とを比較し、後続の優先順位が先行の優先順位よりも高い場合には、先行する音声データを音声データ記憶手段４２７に出力し、後続の音声データを再生終了検出手段４２８に出力するようになっている。
また、優先順位比較手段４２６は、後続の優先順位が先行の優先順位よりも低い場合には、後続の音声データを音声データ記憶手段４２７に出力し、先行する音声データを再生終了検出手段４２８に出力するようになっている。
【００８２】
音声データ記憶手段４２７には、優先順位比較手段４２６によって出力された先行する音声データまたは後続の音声データとをが入力され、音声データ記憶手段４２７は、先行する音声データと後続の音声データの何れかを蓄積して記憶するようになっている。
【００８３】
再生終了検出手段４２８には、優先順位比較手段４２６によって出力された先行する音声データと後続の音声データの何れかが入力され、再生終了検出手段４２８は、入力された音声データに基づいて音声コンテンツの再生が終了したことを検出するようになっている。再生終了検出手段４２８は、音声コンテンツの再生が終了したことを検出するまで、入力された音声データを音声データ制御出力手段３４０に出力するようになっている。音声コンテンツの再生が終了したことを検出したとき、再生終了検出手段４２８は、音声コンテンツの再生が終了したことを示す音声コンテンツ終了情報を生成し、生成された音声コンテンツ終了情報を音声データ読出手段４２９に出力するようになっている。
【００８４】
再生終了検出手段４２８によって出力された音声コンテンツ終了情報が音声データ読出手段４２９に入力されたとき、音声データ読出手段４２９は、音声データ記憶手段４２７によって記憶された音声データを読み出し、読み出された音声データを音声データ制御出力手段３４０に出力するようになっている。
【００８５】
以下、放送システム４００の放送装置４１０及び放送受信装置４２０の動作について、図４を参照して説明する。
まず、先行する音声コンテンツは、音声制御データ送信手段４１４によって放送受信装置４２０に放送され、放送受信装置４２０によって再生されている。ここで、先行する音声コンテンツの放送中に後続の音声データは、音声データ生成手段１１１によって音声制御データ生成手段４１３に出力される。一方、優先順位情報は、優先情報生成手段４１２によって生成され、音声制御データ生成手段４１３に出力される。ここで、音声放送優先順位データは、優先順位情報と音声データ生成手段１１１によって出力された音声データとが音声制御データ生成手段４１３によって結合されて生成され、先行する音声放送優先順位データ、後続の音声コンテンツが有るときには、後続の音声放送優先順位データは、音声制御データ送信手段４１４によって放送受信装置４２０に送信される。
次いで、音声放送優先順位データは、音声制御データ受信手段３２１によって受信され、音声制御データ抽出手段４２２に出力される。ここで、優先順位情報と音声データは、音声制御データ抽出手段３２２によって抽出され、制御手段４２３に出力される。後続の優先順位と先行の優先順位が優先順位比較手段４２６によって比較され、後続の優先順位が先行の優先順位よりも高い場合には、先行する音声データは、音声データ記憶手段４２７に出力され、後続の音声データは、再生終了検出手段４２８に出力される。また、後続の優先順位が先行の優先順位よりも低い場合には、後続の音声データは、音声データ記憶手段４２７に出力され、先行する音声データは、再生終了検出手段４２８に出力される。さらに、先行する音声データと後続の音声データの何れかは、音声データ記憶手段４２７によって蓄積され記憶される。一方、優先順位の高い音声データは、再生終了検出手段４２８によって音声データ制御出力手段３４０に出力され、各音声再生手段１２４によって出力される。その後、音声コンテンツの再生が終了したことを検出されたときに、音声コンテンツ終了情報は、再生終了検出手段４２８によって生成され、音声データ読出手段４２９に出力される。最後に、音声コンテンツ終了情報が音声データ読出手段４２９に入力されたとき、音声データ記憶手段４２７によって蓄積され記憶された音声データは、音声データ読出手段４２９によって読み出され、音声データ制御出力手段３４０に出力され、各音声再生手段１２４によって出力される。
【００８６】
以上説明したように、本発明の第４の実施の形態の放送システムは、音声コンテンツの優先順位を示す優先順位情報と音声データとを結合して音声放送優先順位データで通信するため、先行する音声コンテンツの放送中に後続の音声コンテンツを放送しても、優先順位の低い音声コンテンツに割込み、優先順位の高い音声コンテンツをリアルタイムに再生することができる。例えば、音声コンテンツの放送中でも緊急度の高い音声コンテンツをリアルタイムに再生することができる。
【００８７】
（第５の実施の形態）
図５は、本発明の第５の実施の形態の放送システムのシステム構成を示すブロック図である。本発明の第５の実施の形態の放送システム５００は、所定の音声コンテンツをネットワーク１３０経由で放送する放送装置５１０及び放送装置５１０によって送信された音声コンテンツをネットワーク１３０経由で受信して再生する１つまたは複数の放送受信装置５２０によって構成される。なお、本発明によれば、放送装置５１０は、企業の本社の放送管理室などに設置され、放送受信装置５２０は、企業の支社などに設置されて、音声コンテンツを再生するようにしてもよい。
【００８８】
放送装置５１０は、音声コンテンツを所定の情報量のデータに分割して音声データを生成する音声データ生成手段１１１、音声データの再生に関する制御を行うための制御情報を生成する制御情報生成手段１１２、音声データと制御情報とを結合して音声制御データを生成する音声制御データ生成手段１１３、文字音声データを放送受信装置５２０にネットワーク１３０経由で送信する音声制御データ送信手段５１４、文字を示す文字情報を生成する文字情報生成手段５１５、及び文字情報と音声制御データとを結合して文字音声制御データを生成する文字音声制御データ生成手段５１６によって構成される。
【００８９】
放送受信装置５２０は、放送装置５１０から文字音声制御データをネットワーク１３０経由で受信する音声制御データ受信手段５２１、受信された音声制御データから制御情報と音声データとを抽出する音声制御データ抽出手段１２２、音声制御データから抽出された制御情報に基づいて音声データの再生に関する制御を行う制御手段１２３、音声制御データから抽出された音声データを再生する１つ以上の音声再生手段１２４、再生された音声データに応じて音声を出力する音声再生手段１２４毎の音声出力手段１２５、文字音声制御データから文字情報と音声制御データとを抽出する文字音声制御データ抽出手段５２６、及び抽出された文字情報に応じて文字を視覚的に表示する表示手段５２７によって構成される。なお、本発明によれば、音声出力手段１２５は、企業の支社の各オフィスルームなどに設置してもよい。
【００９０】
なお、本発明の第５の実施の形態の放送システム５００を構成する手段のうち、本発明の第１の実施の形態の放送システム１００を構成する手段と同一の手段には同一の符号を付し、それぞれの説明を省略する。
【００９１】
文字情報生成手段５１５は、音声コンテンツに基づいて文字を示す文字情報を生成し、生成した文字情報を文字音声制御データ生成手段５１６に出力するようになっている。例えば、文字情報は、日本工業規格によって規定されている漢字コード等である。
【００９２】
文字音声制御データ生成手段５１６には、文字情報生成手段５１５によって出力された文字情報と音声制御データ生成手段１１３によって出力された音声制御データとが入力されるようになっている。文字音声制御データ生成手段５１６は、入力された文字情報と音声制御データとを結合して文字音声制御データを生成し、生成された文字音声制御データを音声制御データ送信手段５１４に出力するようになっている。なお、図７（ｆ）に示すように、文字音声制御データは、音声データｄ１と制御情報ｄ２と文字情報ｄ７とが結合されたデータによって構成される。
【００９３】
音声制御データ送信手段５１４には、文字音声制御データ生成手段５１６によって出力された文字音声制御データが入力され、音声制御データ送信手段５１４は、文字音声データを放送受信装置５２０にネットワーク１３０経由で送信するようになっている。
【００９４】
音声制御データ受信手段５２１は、放送装置５１０から文字音声制御データをネットワーク１３０経由で受信し、受信された文字音声制御データを文字音声制御データ抽出手段５２６に出力するようになっている。
【００９５】
文字音声制御データ抽出手段５２６には、音声制御データ受信手段５２１によって出力された文字音声制御データが入力され、文字音声制御データ抽出手段５２６は、文字音声制御データから文字情報と音声制御データとを抽出し、抽出された文字情報を表示手段５２７に出力し、抽出された音声制御データを音声制御データ抽出手段１２２に出力するようになっている。
【００９６】
表示手段５２７には、文字音声制御データ抽出手段５２６によって出力された文字情報が入力され、表示手段５２７は、文字情報に応じて文字を視覚的に表示するようになっている。
【００９７】
以下、放送システム５００の放送装置５１０及び放送受信装置５２０の動作について、図５を参照して説明する。
まず、文字情報は、文字情報生成手段５１５によって生成され、文字音声制御データ生成手段５１６に出力される。ここで、文字音声制御データは、文字情報と音声制御データ生成手段１１３によって出力された音声制御データとが文字音声制御データ生成手段５１６によって結合されて生成され、音声制御データ送信手段５１４によって放送受信装置５２０に送信される。
次いで、文字音声制御データは、音声制御データ受信手段５２１によって受信され、文字音声制御データ抽出手段５２６に出力される。ここで、文字情報及び音声制御データは、文字音声制御データ抽出手段５２６によって抽出され、音声制御データ抽出手段１２２に出力されると共に、文字情報は、表示手段５２７によって文字として視覚的に表示される。
【００９８】
以上説明したように、本発明の第５の実施の形態の放送システムは、文字情報と音声制御データとを結合して文字音声制御データで通信するため、音声データの再生と連動して文字情報を表示することができる。
【００９９】
（第６の実施の形態）
図６は、本発明の第６の実施の形態の放送システムのシステム構成を示すブロック図である。本発明の第６の実施の形態の放送システム６００は、所定の音声コンテンツをネットワーク１３０経由で放送する放送装置６１０及び放送装置６１０によって送信された音声コンテンツをネットワーク１３０経由で受信して再生する１つまたは複数の放送受信装置６２０によって構成される。なお、本発明によれば、放送装置６１０は、企業の本社の放送管理室などに設置され、放送受信装置６２０は、企業の支社などに設置されて、音声コンテンツを再生するようにしてもよい。
【０１００】
放送装置６１０は、音声コンテンツを所定の情報量のデータに分割して音声データを生成する音声データ生成手段１１１、音声データの再生に関する制御を行うための制御情報を生成する制御情報生成手段１１２、音声データと制御情報とを結合して音声制御データを生成する音声制御データ生成手段１１３、暗号音声制御データを放送受信装置６２０にネットワーク１３０経由で送信する音声制御データ送信手段６１４、暗号化された暗号情報を生成する暗号情報生成手段６１５、及び暗号情報と音声制御データとを結合して暗号音声制御データを生成する暗号音声制御データ生成手段６１６によって構成される。
【０１０１】
放送受信装置６２０は、放送装置６１０から暗号音声制御データをネットワーク１３０経由で受信する音声制御データ受信手段６２１、受信された音声制御データから制御情報と音声データとを抽出する音声制御データ抽出手段１２２、音声制御データから抽出された制御情報に基づいて音声データの再生に関する制御を行う制御手段１２３、音声制御データから抽出された音声データを再生する１つ以上の音声再生手段１２４、再生された音声データに応じて音声を出力する音声再生手段１２４毎の音声出力手段１２５、及び暗号音声制御データに含まれる暗号情報を解読して音声制御データを抽出する暗号解読手段６２６によって構成される。なお、本発明によれば、音声出力手段１２５は、企業の支社の各オフィスルームなどに設置してもよい。
【０１０２】
なお、本発明の第６の実施の形態の放送システム６００を構成する手段のうち、本発明の第１の実施の形態の放送システム１００を構成する手段と同一の手段には同一の符号を付し、それぞれの説明を省略する。
【０１０３】
暗号情報生成手段６１５は、暗号化された暗号情報を生成し、生成された暗号情報を暗号音声制御データ生成手段６１６に出力するようになっている。
【０１０４】
暗号音声制御データ生成手段６１６には、暗号情報生成手段６１５によって出力された暗号情報と音声制御データ生成手段１１３によって出力された音声制御データとが入力されるようになっている。暗号音声制御データ生成手段６１６は、入力された暗号情報と音声制御データとを結合して暗号音声制御データを生成し、生成された暗号音声制御データを音声制御データ送信手段６１４に出力するようになっている。なお、図７（ｇ）に示すように、暗号音声制御データは、音声データｄ１と制御情報ｄ２と暗号情報ｄ８とが結合されたデータによって構成される。
【０１０５】
音声制御データ送信手段６１４には、暗号音声制御データ生成手段６１６によって出力された暗号音声制御データが入力され、音声制御データ送信手段６１４は、暗号音声制御データを放送受信装置６２０にネットワーク１３０経由で送信するようになっている。
【０１０６】
音声制御データ受信手段６２１は、放送装置６１０から暗号音声制御データをネットワーク１３０経由で受信し、受信された暗号音声制御データを暗号解読手段６２６に出力するようになっている。
【０１０７】
暗号解読手段６２６には、音声制御データ受信手段６２１によって出力された暗号音声制御データが入力され、暗号解読手段６２６は、暗号音声制御データに含まれる暗号情報を解読して音声制御データを抽出し、抽出された音声制御データを音声制御データ抽出手段１２２に出力するようになっている。
【０１０８】
以下、放送システム６００の放送装置６１０及び放送受信装置６２０の動作について、図６を参照して説明する。
まず、暗号情報は、暗号情報生成手段６１５によって生成され、暗号音声制御データ生成手段６１６に出力される。ここで、暗号音声制御データは、暗号情報と音声制御データ生成手段１１３によって出力された音声制御データとが暗号音声制御データ生成手段６１６によって結合されて生成され、音声制御データ送信手段６１４によって放送受信装置６２０に送信される。
次いで、暗号音声制御データは、音声制御データ受信手段６２１によって受信され、暗号解読手段６２６に出力される。ここで、暗号情報は、暗号解読手段６２６によって解読されると共に、音声制御データは、暗号解読手段６２６によって抽出され音声制御データ抽出手段１２２に出力される。
【０１０９】
以上説明したように、本発明の第６の実施の形態の放送システムは、暗号情報と音声制御データとを結合して暗号音声制御データで通信するため、音声制御データの盗聴、改ざん等を防止することができる。
【０１１０】
【発明の効果】
以上説明したように、本発明は、音声データと制御情報とを結合した音声制御データで通信するため、音声データの再生に関する制御をリアルタイムで効率的かつ簡易に行うことができる放送システム、放送装置、および放送受信装置を提供するものである。
【図面の簡単な説明】
【図１】本発明の第１の実施の形態の放送システムのシステム構成を示すブロック図
【図２】本発明の第２の実施の形態の放送システムのシステム構成を示すブロック図
【図３】本発明の第３の実施の形態の放送システムのシステム構成を示すブロック図
【図４】本発明の第４の実施の形態の放送システムのシステム構成を示すブロック図
【図５】本発明の第５の実施の形態の放送システムのシステム構成を示すブロック図
【図６】本発明の第６の実施の形態の放送システムのシステム構成を示すブロック図
【図７】本発明の音声制御データを含むデータ構成（ａ）から（ｈ）までを示す図
【図８】従来の放送システムの音声通信方式を示す図
【符号の説明】
１００、２００、３００、４００、５００、６００　放送システム
１１０、２１０、３１０、４１０、５１０、６１０　放送装置
１１１　音声データ生成手段
１１２　制御情報生成手段
１１３、２１３、３１３、４１３　音声制御データ生成手段
１１４、２１４、３１４、４１４、５１４、６１４　音声制御データ送信手段
１２０、２２０、３２０、４２０、５２０、６２０　放送受信装置
１２１、２２１、３２１、４２１、５２１、６２１　音声制御データ受信手段１２２、２２２、３２２、４２２　音声制御データ抽出手段
１２３、２２３、３２３、４２３　制御手段
１２４　音声再生手段
１２５　音声出力手段
１３０　ネットワーク
２０１　エリア
２１２　エリア情報生成手段
３１２　属性情報生成手段
３２７、４２７　音声データ記憶手段
３２８、４２８　再生終了検出手段
３２９、４２９　音声データ読出手段
３４０　音声データ制御出力手段
４１２　優先情報生成手段
４２６　優先順位比較手段
５１５　文字情報生成手段
５１６　文字音声制御データ生成手段
５２６　文字音声制御データ抽出手段
５２７　表示手段
６１５　暗号情報生成手段
６１６　暗号音声制御データ生成手段
６２６　暗号解読手段
【図１】
2004128855.tif 000003
【図２】
2004128855.tif 000004
【図３】
2004128855.tif 000005
【図４】
2004128855.tif 000006
【図５】
2004128855.tif 000007
【図６】
2004128855.tif 000008
【図７】
2004128855.tif 000009
【図８】
2004128855.tif 000010